(57)【特許請求の範囲】
【請求項１】
それぞれが通信ネットワークを介してパケットの送受信を行う複合機からなる親機及び子機により構成され、
上記子機は、受信した上記パケットに基づいて、上記親機からのシャットダウン要求を検出するシャットダウン要求検出部と、検出された上記シャットダウン要求に基づいて、シャットダウン処理を実行するシャットダウン実行部と、検出された上記シャットダウン要求に基づいて、上記シャットダウン処理が実行中であることを示すメッセージを含むシャットダウン画面を表示する画面表示部と、上記シャットダウン画面の表示中における取消操作を検出する取消操作検出部とを備え、上記シャットダウン実行部が、上記取消操作に基づいて、上記シャットダウン処理を中断し、実行前の状態に復帰させ、
上記親機は、上記シャットダウン要求を上記パケットとして上記子機へ送信するシャットダウン要求送信部と、
送信された上記シャットダウン要求に基づく上記シャットダウン処理が取り消されたか否かを判別する取消判別部とを備え、
上記シャットダウン要求送信部が、上記取消判別部の判別結果に基づいて、上記シャットダウン要求を再送信することを特徴とする複合機システム。
【請求項２】
上記親機は、動作状態を確認するための状態確認パケットを上記子機へ送信する状態確認パケット送信部を備え、
上記取消判別部は、上記状態確認パケットに対する上記子機の応答に基づいて、上記シャットダウン処理が取り消されたか否かを判別することを特徴とする請求項１に記載の複合機システム。
【請求項３】
上記子機は、上記取消操作に基づいて、上記シャットダウン処理の取消を通知するための取消通知パケットを上記親機へ送信する取消通知パケット送信部を備え、
上記取消判別部は、上記取消通知パケットに基づいて、上記シャットダウン処理が取り消されたか否かを判別することを特徴とする請求項１に記載の複合機システム。
【発明の詳細な説明】
【技術分野】
【０００１】
本発明は、複合機及び複合機システムに係り、さらに詳しくは、通信ネットワークを介してパケットの送受信を行う複合機及び複合機システムの改良に関する。
【背景技術】
【０００２】
近年、ＬＡＮ（ローカルエリアネットワーク）を介して互いに接続された複数の複合機からなるシステムにおいて、システム内の複合機の１つが親機となって、他の複合機に対し省電力モードへの切り替えを指示する技術が提案されている（例えば、特許文献１）。また、親機が予め定められた時刻にシステム内の複数の子機に対して一斉に省電力モードへの切り替えを指示する技術も提案されている（例えば、特許文献２）。
【０００３】
省電力モードは、画像データを印刷する印刷部、原稿を光学的に読み取って画像データを生成する光学読取部、動作状態を画面表示する表示部などに対する電力供給を制限することにより、消費電力を通常電力モード時に比べて低減させた動作モードである。親機からの指示によってシステム内の子機を強制的に省電力モードに移行させることにより、システムの消費電力を抑制することができる。そこで、より一層の省電力化のために、親機からの指示によって子機をシャットダウンさせることが考えられる。しかし、従来の複合機では、親機からの指示によって主電源をオフさせる場合、ユーザによる操作中であっても、シャットダウンされてしまう場合が生じるという問題があった。
【先行技術文献】
【特許文献】
【０００４】
【特許文献１】特開２００６−２６２１６３号公報
【特許文献２】特開２０００−３３９１１６号公報
【発明の概要】
【発明が解決しようとする課題】
【０００５】
本発明は、上記事情に鑑みてなされたものであり、複数の複合機からなる複合機システムの消費電力を低減させつつ、外部機器から指示されたシャットダウン処理を取り消すことができる複合機を提供することを目的とする。また、親機から指示されたシャットダウン処理を取り消した子機であっても、確実にシャットダウンさせることができる複合機システムを提供することを目的とする。
【課題を解決するための手段】
【０００８】
第１の本発明による複合機システムは、それぞれが通信ネットワークを介してパケットの送受信を行う複合機からなる親機及び子機により構成され、上記子機が、受信した上記パケットに基づいて、上記親機からのシャットダウン要求を検出するシャットダウン要求検出部と、検出された上記シャットダウン要求に基づいて、シャットダウン処理を実行するシャットダウン実行部と、検出された上記シャットダウン要求に基づいて、上記シャットダウン処理が実行中であることを示すメッセージを含むシャットダウン画面を表示する画面表示部と、上記シャットダウン画面の表示中における取消操作を検出する取消操作検出部とを備え、上記シャットダウン実行部が、上記取消操作に基づいて、上記シャットダウン処理を中断し、実行前の状態に復帰させ、上記親機が、上記シャットダウン要求を上記パケットとして上記子機へ送信するシャットダウン要求送信部と、送信された上記シャットダウン要求に基づく上記シャットダウン処理が取り消されたか否かを判別する取消判別部とを備え、上記シャットダウン要求送信部が、上記取消判別部の判別結果に基づいて、上記シャットダウン要求を再送信する。
【０００９】
子機では、親機からのシャットダウン要求が検出されれば、シャットダウン要求によって指示されたシャットダウン処理が実行されるとともに、シャットダウン画面が表示される。そして、この子機は、シャットダウン画面の表示中に、取消操作があれば、シャットダウン処理を中断して実行前の状態に復帰する。このため、ユーザが子機を操作している際に、シャットダウン要求によってシャットダウン処理が実行された場合に、親機から指示されたシャットダウン処理を取消操作によって取り消すことかできる。また、シャットダウン要求によってシャットダウン処理が実行されるので、複数の複合機からなる複合機システムの消費電力を低減させることができる。
また、この複合機システムでは、親機が、シャットダウン要求に基づくシャットダウン処理が取り消されたか否かを判別し、その判別結果によってシャットダウン要求を再送信するので、親機から指示されたシャットダウン処理を取り消した子機であっても、確実にシャットダウンさせることができる。
【００１０】
第２の本発明による複合機システムは、上記構成に加え、上記親機が、動作状態を確認するための状態確認パケットを上記子機へ送信する状態確認パケット送信部を備え、上記取消判別部が、上記状態確認パケットに対する上記子機の応答に基づいて、上記シャットダウン処理が取り消されたか否かを判別するように構成される。
【００１１】
この複合機システムでは、親機が、状態確認パケットを送信した際の子機の応答によってシャットダウン処理が取り消されたか否かを判別する。このため、親機では、指示したシャットダウン処理を取り消した子機を確実に検知して、シャットダウン要求を再送信することができる。
【００１２】
第３の本発明による複合機システムは、上記構成に加え、上記子機が、上記取消操作に基づいて、上記シャットダウン処理の取消を通知するための取消通知パケットを上記親機へ送信する取消通知パケット送信部を備え、上記取消判別部が、上記取消通知パケットに基づいて、上記シャットダウン処理が取り消されたか否かを判別するように構成される。
【００１３】
この複合機システムでは、親機が、子機から送信される取消通知パケットによってシャットダウン処理が取り消されたか否かを判別する。このため、親機では、指示したシャットダウン処理を取り消した子機を確実に検知して、シャットダウン要求を再送信することができる。
【発明の効果】
【００１４】
本発明による複合機では、ユーザが複合機を操作している際に、シャットダウン要求によってシャットダウン処理が実行された場合、外部機器から指示されたシャットダウン処理を取消操作によって取り消すことかできる。また、シャットダウン要求によってシャットダウン処理が実行されるので、複数の複合機からなる複合機システムの消費電力を低減させることができる。従って、複数の複合機からなる複合機システムの消費電力を低減させつつ、外部機器から指示されたシャットダウン処理を取り消すことができる。また、本発明による複合機システムでは、親機が、シャットダウン要求に基づくシャットダウン処理が取り消されたか否かを判別し、その判別結果によってシャットダウン要求を再送信するので、親機から指示されたシャットダウン処理を取り消した子機であっても、確実にシャットダウンさせることができる。
【図面の簡単な説明】
【００１５】
【図１】本発明の実施の形態１による複合機システムの一構成例を示したシステム図である。
【図２】図１のＭＦＰ管理システム１における子機１２の構成例を示したブロック図である。
【図３】図２の子機１２の動作の一例を示した図であり、親機１１からのシャットダウン要求を検出した際に表示されるシャットダウン画面３１が示されている。
【図４】図２の子機１２の動作の一例を示したフローチャートである。
【図５】図１のＭＦＰ管理システム１における親機１１の構成例を示したブロック図である。
【図６】図５の親機１１におけるシャットダウン時の動作の一例を示したフローチャートである。
【図７】本発明の実施の形態２による複合機システムにおける子機１２の他の構成例を示したブロック図である。
【発明を実施するための形態】
【００１６】
実施の形態１．
＜ＭＦＰ管理システム＞
図１は、本発明の実施の形態１による複合機システムの一構成例を示したシステム図であり、ＬＡＮ２を介して互いに接続された親機１１及び複数の子機１２により構成されるＭＦＰ管理システム１が示されている。このＭＦＰ管理システム１は、親機１１がＬＡＮ２を介して接続された複数の子機１２の電源管理を行うシステムであり、親機１１からの指示によって各子機１２はシャットダウンする。
【００１７】
ＬＡＮ２は、所定のエリア内に配置された複数の電子機器間でデータを送受信するための通信ネットワークであり、イーサネット（Ethernet：登録商標）などの所定の通信制御方式によりデータの送受信が行われる。ＬＡＮ２を介して送受信されるデータは、所定の通信プロトコル、例えば、ＵＤＰ／ＩＰ（User Datagram Protocol/Internet Protocol）又はＴＣＰ／ＩＰ（Transmission Control Protocol/Internet Protocol）に基づいてパケット化され、ＩＰパケットとして転送される。
【００１８】
親機１１及び子機１２は、いずれもスキャナ機能、プリンタ機能、ＦＡＸ送受信機能、複写機能、電子メールの送受信機能などを有するＭＦＰ（Multifunction Peripheral：複合機）からなり、ＰＳＴＮ（公衆電話回線網）３に接続されている。親機１１には、動作状態を画面表示するためのディスプレイ１１１と、スタートキー、ストップキーなどの各種の操作キー、電源ＳＷ（スイッチ）からなる操作部１１２とが設けられている。
【００１９】
操作部１１２は、ユーザ操作を受け付ける入力手段であり、各操作キーは、キートップを押下することにより、オン又はオフする接点式スイッチにより構成される。ディスプレイ１１１は、その表示画面上に接触式センサからなる操作部が形成され、当該操作部とともにタッチパネルを構成している。この接触式センサは、ユーザ操作を受け付け、その操作位置を示す検出信号を生成する入力手段であり、例えば、静電容量式のタッチパッドにより構成される。子機１２にも、親機１１と同様のディスプレイ１２１及び操作部１２２が設けられている。
【００２０】
子機１２は、「省エネキー」のような特定の操作キーを操作することにより、通常電力モードと、通常電力モード時に比べて消費電力を低減させた省電力モードとを切り替えることができる。また、印刷処理などの処理が終了してから一定時間が経過すれば、自動的に省電力モードに切り替えられる。
【００２１】
このＭＦＰ管理システム１では、ＬＡＮ２上の複数のＭＦＰのうちの任意の１つが親機１１として登録され、他のＭＦＰが子機１２として予め登録される。例えば、各子機１２は、自端末の識別情報（ＩＰアドレスなど）と、親機１１として登録したＭＦＰの識別情報を保持する。一方、親機１１は、自端末の識別情報と、子機１２として登録した複数のＭＦＰの識別情報を保持する。
【００２２】
親機１１は、例えば、予め定められた時刻に、ＬＡＮ２上の各子機１２に対してシャットダウンを要求する。このシャットダウン要求は、所定のプロトコル、例えば、ＳＮＭＰ（Simple Network Management Protocol）に基づいて生成したＩＰパケットを送受信することにより行われる。子機１２は、受信したＩＰパケットを監視し、親機１１からのシャットダウン要求を検出してシャットダウン処理を実行する。この様な親機１１による電源管理により、ＬＡＮ２上の全ての子機１２の主電源を一斉にオフさせることができる。
【００２３】
＜子機＞
図２は、図１のＭＦＰ管理システム１における子機１２の構成例を示したブロック図である。この子機１２は、タイマー２４、操作部１２２、フロントエンド部１２３、デコード部１２４、印刷部１２５、光学読取部１２６、エンコード部１２７、ＦＡＸ送受信部１２８、シャットダウン実行部１２９、画面データ記憶部１３０、表示制御部１３１及びタッチパネル１３２により構成される。
【００２４】
フロントエンド部１２３は、パケット送受信部２１、シャットダウン要求検出部２２及び省電力制御部２３からなるネットワーク通信部である。パケット送受信部２１は、ＬＡＮ２に接続され、パケットデータの送信処理及び受信処理を行う。
【００２５】
デコード部１２４は、受信したパケットデータをデコードすることにより、所定のデータ形式の画像データからなるプリントデータを生成し、印刷部１２５へ出力するデータ復号手段である。印刷部１２５は、プリントデータを所定の用紙に印刷する画像出力処理部である。
【００２６】
光学読取部１２６は、原稿を光学的に読み取り、読取画像を生成する画像入力処理部である。複写モードであれば、読取画像は、印刷部１２５に転送され、用紙に印刷される。また、ＦＡＸ送信モードであれば、読取画像は、エンコード部１２７を介してＦＡＸ送受信部１２８に転送され、予め指定された転送先へＰＳＴＮ３を介して送信される。また、ネットワーク送信モードであれば、読取画像は、エンコード部１２７を介してパケット送受信部２１に転送され、予め指定された転送先へＬＡＮ２を介して送信される。
【００２７】
エンコード部１２７は、光学読取部１２６からの読取画像をエンコードすることによりパケット化し、所定のデータ形式からなるパケットデータを生成してパケット送受信部２１へ出力するデータ符号化手段である。ＦＡＸ送受信部１２８は、ＰＳＴＮ３に接続され、画像データの送信処理及び受信処理を行う画像入出力処理部である。ＦＡＸ受信時には、受信した画像データがデコード部１２４を介して印刷部１２５に転送され、用紙に印刷される。
【００２８】
フロントエンド部１２３には、常時、電源から電力供給されるのに対し、デコード部１２４、印刷部１２５、光学読取部１２６、エンコード部１２７、ＦＡＸ送受信部１２８、シャットダウン実行部１２９、表示制御部１３１及びタッチパネル１３２には、遮断用ＳＷ（スイッチ）を介して、電源から電力が供給される。
【００２９】
省電力制御部２３は、操作部１２２からの入力信号及びタイマー２４からのタイムアップ信号に基づいて、動作モードを通常電力モード及び省電力モード間で切り替えるためのＳＷ制御信号を生成する。省電力モードでは、遮断用ＳＷをオン又はオフすることにより、デコード部１２４、印刷部１２５、光学読取部１２６、エンコード部１２７、ＦＡＸ送受信部１２８、シャットダウン実行部１２９、表示制御部１３１及びタッチパネル１３２に対する電源供給が通常電力モード時よりも制限される。
【００３０】
通常電力モード中に、「省エネキー」を操作することにより、強制的に省電力モードに切り替えることができるとともに、省電力モード中に、「省エネキー」を操作すれば、通常電力モードに復帰させることができる。
【００３１】
タイマー２４は、印刷処理などの画像入出力処理が終了してから一定時間が経過すればタイムアップし、タイムアップ信号を出力する経過時間の計測手段である。つまり、印刷処理などの画像処理の終了後、ユーザ操作などの所定のイベントが検知されることなく、一定時間が経過すれば、タイマー２４がタイムアップし、電力モードが自動的に省電力モードに切り替えられる。省電力制御部２３では、受信したパケットデータを解析することにより、外部機器からの起動要求を検出する動作が行われ、省電力モード中に起動要求が検出されれば、通常電力モードに復帰させる。
【００３２】
シャットダウン要求検出部２２は、受信したパケットデータを監視し、親機１１からのシャットダウン要求を検出する。シャットダウン要求の検出は、例えば、受信したパケットデータから送信元の識別情報（ＩＰアドレスなど）を抽出し、予め親機１１として登録されたＭＦＰの識別情報と照合することにより行われる。
【００３３】
シャットダウン実行部１２９は、シャットダウン要求検出部２２によりシャットダウン要求が検出されれば、検出されたシャットダウン要求に基づいて、所定のシャットダウン処理を実行する。このシャットダウン処理により、子機１２の主電源がオフされる。主電源のオフ状態とは、商用電源などの外部電源から供給される電力がゼロであり、ユーザ操作がなければオン状態に移行できない状態のことである。
【００３４】
タッチパネル１３２は、ディスプレイ１２１及び操作部１３３により構成される。操作部１３３は、ディスプレイ１２１の表示画面上に形成された接触式センサからなり、通常電力モード時に、ユーザ操作を受け付ける。省電力モード時には、例えば、ディスプレイ１２１のバックライトは消灯し、画面表示は非表示となる。
【００３５】
表示制御部１３１は、ディスプレイ１２１を制御して動作状態を画面表示する。この表示制御部１３１では、シャットダウン要求検出部２２によりシャットダウン要求が検出されれば、検出されたシャットダウン要求に基づいて、シャットダウン画面を表示する。このシャットダウン画面は、シャットダウン中であることをユーザに報知するための報知画面であり、シャットダウン処理が実行中であることを示すメッセージが含まれている。
【００３６】
また、シャットダウン画面には、シャットダウン処理を中断させるための取消ボタンのシンボルが操作対象アイコンとして配置されている。画面データ記憶部１３０には、取消ボタンが配置されたシャットダウン画面を表示するための画面データが保持されている。
【００３７】
シャットダウン実行部１２９は、タッチパネル１３２からの検出信号に基づいて、シャットダウン処理を中断し、シャットダウン処理の実行前の状態に復帰させる。すなわち、シャットダウン処理の実行中にシャットダウン画面内の取消ボタンを操作すれば、実行中のシャットダウン処理が中断され、子機１２は、シャットダウン前の状態に復帰する。
【００３８】
＜シャットダウン画面＞
図３は、図２の子機１２の動作の一例を示した図であり、親機１１からのシャットダウン要求を検出した際に表示されるシャットダウン画面３１が示されている。親機１１からシャットダウン要求があった場合、当該シャットダウン要求に基づいて、シャットダウン処理が実行されるとともに、シャットダウン画面３１がディスプレイ１２１上に表示される。
【００３９】
このシャットダウン画面３１には、実行中のシャットダウン処理を中断させるための取消ボタン３２が配置され、シャットダウン処理が実行中であることを示すメッセージが表示されている。シャットダウン画面３１の表示中に、取消ボタン３２を操作すれば、シャットダウン処理を中断し、元の状態に復帰させることができる。
【００４０】
図４のステップＳ１０１〜Ｓ１０６は、図２の子機１２の動作の一例を示したフローチャートである。まず、シャットダウン要求検出部２２は、受信したパケットデータを監視し、親機１１からのシャットダウン要求を検出する（ステップＳ１０１）。
【００４１】
次に、シャットダウン実行部１２９は、シャットダウン要求が検出されれば、シャットダウン処理を実行し（ステップＳ１０２）、表示制御部１３１は、シャットダウン画面３１をディスプレイ１２１上に表示する（ステップＳ１０３）。
【００４２】
シャットダウン画面３１の表示中に、取消ボタン３２が操作されれば、シャットダウン処理は中断され、子機１２は、元の状態、すなわち、シャットダウン前の状態に復帰する（ステップＳ１０４，Ｓ１０５）。一方、シャットダウン処理が完了すれば、主電源がオフされ、この処理は終了する（ステップＳ１０６）。
【００４３】
＜親機＞
図５は、図１のＭＦＰ管理システム１における親機１１の構成例を示したブロック図である。この親機１１は、パケット送受信部１１３、デコード部１１４、印刷部１１５、光学読取部１１６、エンコード部１１７、ＦＡＸ送受信部１１８、時計４１、シャットダウン要求生成部４２、状態確認パケット生成部４３、取消判別部４４及びシャットダウン実行部４５により構成される。
【００４４】
パケット送受信部１１３は、ＬＡＮ２に接続され、パケットデータの送信処理及び受信処理を行うネットワーク送受信部である。デコード部１１４、印刷部１１５、光学読取部１１６、エンコード部１１７及びＦＡＸ送受信部１１８は、図２の子機１２におけるデコード部１２４、印刷部１２５、光学読取部１２６、エンコード部１２７及びＦＡＸ送受信部１２８と同様の構成である。
【００４５】
シャットダウン要求生成部４２は、時計４１の出力に基づいて、予め定められた時刻に、子機１２をシャットダウンさせるためのシャットダウン要求を生成し、パケット送受信部１１３へ出力する。このシャットダウン要求は、パケット化され、パケットデータとして各子機１２へ送信される。また、シャットダウン要求は、予め子機１２として登録されたＭＦＰの識別情報（ＩＰアドレスなど）に基づいて送信される。
【００４６】
取消判別部４４は、送信されたシャットダウン要求に基づくシャットダウン処理が子機１２において取り消されたか否かを判別し、その判別結果をシャットダウン要求生成部４２及びシャットダウン実行部４５へ出力する。
【００４７】
シャットダウン要求生成部４２では、取消判別部４４による判別結果に基づいて、シャットダウン要求が生成され、パケット送受信部１１３により、シャットダウン処理を取り消した子機１２に対して再送信される。
【００４８】
状態確認パケット生成部４３は、時計４１の出力に基づいて、動作状態を確認するための状態確認パケットを生成し、パケット送受信部１１３へ出力する。この状態確認パケットは、シャットダウン要求が送信されてから一定時間の経過後に生成され、パケット送受信部１１３により各子機１２へ送信される。取消判別部４４では、状態確認パケットに対する子機１２の応答に基づいて、シャットダウン処理が取り消されたか否かが判別される。
【００４９】
状態確認パケットは、例えば、子機１２が保持するＭＩＢ（Management Information Base）などの管理情報を取得するための所定のコマンドからなる。この様な状態確認パケットを送信した際の子機１２の応答によって、シャットダウン処理が実行されたか、或いは、取り消されたかを判別することができる。
【００５０】
例えば、子機１２からの応答パケットを受信すれば、シャットダウン処理が実行途中で取り消されたと判断される。一方、子機１２から応答がなければ、シャットダウン処理が実行され、主電源がオフされたと判断される。
【００５１】
シャットダウン実行部４５は、ＬＡＮ２上の各子機１２について、シャットダウン処理が実行されれば、所定のシャットダウン処理を実行する。このシャットダウン処理により、親機１１の主電源がオフされる。
【００５２】
図６のステップＳ２０１〜Ｓ２０７は、図５の親機１１におけるシャットダウン時の動作の一例を示したフローチャートである。まず、シャットダウン要求生成部４２は、予め設定された時刻になれば、シャットダウン要求を生成する（ステップＳ２０１）。このシャットダウン要求は、パケット送受信部１１３によりパケットとして各子機１２へ一斉に送信される（ステップＳ２０２）。
【００５３】
次に、状態確認パケット生成部４３は、シャットダウン要求の送信後、一定時間が経過すれば、状態確認パケットを生成し、パケット送受信部１１３により各子機１２へ一斉に送信される（ステップＳ２０３，Ｓ２０４）。
【００５４】
取消判別部４４は、状態確認パケットに対する子機１２の応答によって、シャットダウン処理が実行されたか、或いは、取り消されたかを判別する（ステップＳ２０５）。このとき、シャットダウン要求生成部４２は、取消判別部４４による判別結果に基づいて、シャットダウン処理を実行途中で取り消した子機１２が存在すれば、シャットダウン要求を生成し、当該子機１２に対して再送信される（ステップＳ２０６）。
【００５５】
ステップＳ２０３からステップＳ２０６までの処理手順は、シャットダウン処理を実行途中で取り消した子機１２が存在しなくなるまで繰り返される。そして、シャットダウン実行部４５は、全ての子機１２について、シャットダウンが完了すれば、自端末のシャットダウン処理を実行し、この処理を終了する（ステップＳ２０７）。
【００５６】
本実施の形態によれば、ユーザが子機１２を操作している際に、親機１１からのシャットダウン要求によってシャットダウン処理が実行された場合に、親機１１から指示されたシャットダウン処理を所定の取消操作によって取り消すことかできる。また、親機１１からのシャットダウン要求によって、各子機１２においてシャットダウン処理が一斉に実行されるので、ＭＦＰ管理システム１の消費電力を低減させることができる。
【００５７】
また、親機１１が、シャットダウン要求に基づくシャットダウン処理が取り消されたか否かを判別し、その判別結果によってシャットダウン要求を子機１２に対して再送信するので、親機１１から指示されたシャットダウン処理を取り消した子機１２であっても、確実にシャットダウンさせることができる。さらに、親機１１が、状態確認パケットを送信した際の子機１２の応答によってシャットダウン処理が取り消されたか否かを判別する。このため、親機１１では、指示したシャットダウン処理を取り消した子機１２を確実に検知して、シャットダウン要求を再送信することができる。
【００５８】
実施の形態２．
実施の形態１では、取消判別部４４が、状態確認パケットに対する子機１２の応答によってシャットダウン処理が取り消されたか否かを判別する場合の例について説明した。これに対し、本実施の形態では、取消判別部４４が、シャットダウン処理を取り消した際に送信される子機１２からの取消通知によってシャットダウン処理が取り消されたか否かを判別する場合について説明する。
【００５９】
図７は、本発明の実施の形態２による複合機システムにおける子機１２の他の構成例を示したブロック図である。この子機１２は、図２の子機１２と比較すれば、取消通知パケット生成部２５を備えている点で異なる。
【００６０】
取消通知パケット生成部２５は、タッチパネル１３２からの検出信号に基づいて、シャットダウン処理の取消を通知するための取消通知パケットを生成し、パケット送受信部１１３へ出力する。取消通知パケットは、シャットダウン処理が取消操作によって実行途中で取り消された場合に生成され、パケット送受信部１１３により親機１１へ送信される。親機１１の取消判別部４４では、子機１２からの取消通知パケットに基づいて、シャットダウン処理が取り消されたか否かが判別される。
【００６１】
本実施の形態によれば、親機１１が、子機１２から送信される取消通知パケットによってシャットダウン処理が取り消されたか否かを判別する。このため、親機１１では、指示したシャットダウン処理を取り消した子機１２を確実に検知して、シャットダウン要求を再送信することができる。
【００６２】
なお、実施の形態１及び２では、外部機器からのシャットダウン要求に基づいて、シャットダウン処理を実行するとともに、シャットダウン画面を表示する場合の一例として、親機１１からのシャットダウン要求が検出されれば、シャットダウン処理を実行し、シャットダウン処理の実行開始後にシャットダウン画面３１を表示する場合について説明した。しかしながら、本発明はその様な構成に限られるものではない。例えば、シャットダウン要求が検出された場合に、シャットダウン処理を実行するよりも前にシャットダウン画面を表示し、或いは、シャットダウン処理の実行とシャットダウン画面の表示とを同時に行うようなものも本発明には含まれる。
【００６３】
また、実施の形態１及び２では、複合機からなる親機１１が子機１２に対してシャットダウン要求を行う場合の例について説明したが、本発明による複合機はその様な構成に限られるものではない。例えば、ＰＣ（パーソナルコンピュータ）などの端末装置と、複数の複合機とがＬＡＮなどの通信ネットワークを介して互いに接続されたシステムにおいて、端末装置が親機として各複合機の電源管理を行うようなものにも本発明は適用することができる。すなわち、端末装置が各複合機に対しシャットダウン要求を一斉に送信した場合に、各複合機が端末装置からのシャットダウン要求に基づいてシャットダウン処理を実行するような構成であっても良い。
【００６４】
また、実施の形態１及び２では、親機１１と子機１２とがＬＡＮ２を介して接続され、各子機１２が親機１１からのシャットダウン要求をＬＡＮ２経由で受け付ける場合の例について説明したが、本発明はその様な構成に限られるものではない。例えば、各子機１２がインターネット又はＷＡＮ（ワイドエリアネットワーク）を介して親機１１からのシャットダウン要求を受信するような構成であっても良い。
【符号の説明】
【００６５】
１  ＭＦＰ管理システム
２  ＬＡＮ
３  ＰＳＴＮ
１１  親機
１１１  ディスプレイ
１１２  操作部
１１３  パケット送受信部
１１４  デコード部
１１５  印刷部
１１６  光学読取部
１１７  エンコード部
１１８  ＦＡＸ送受信部
１２  子機
１２１  ディスプレイ
１２２  操作部
１２３  フロントエンド部
１２４  デコード部
１２５  印刷部
１２６  光学読取部
１２７  エンコード部
１２８  ＦＡＸ送受信部
１２９  シャットダウン実行部
１３０  画面データ記憶部
１３１  表示制御部
１３２  タッチパネル
１３３  操作部
２１  パケット送受信部
２２  シャットダウン要求検出部
２３  省電力制御部
２４  タイマー
２５  取消通知パケット生成部
３１  シャットダウン画面
３２  取消ボタン
４１  時計
４２  シャットダウン要求生成部
４３  状態確認パケット生成部
４４  取消判別部
４５  シャットダウン実行部
【図１】
0005614716.tif 000002
【図２】
0005614716.tif 000003
【図３】
0005614716.tif 000004
【図４】
0005614716.tif 000005
【図５】
0005614716.tif 000006
【図６】
0005614716.tif 000007
【図７】
0005614716.tif 000008